(57)【要約】【課題】試験成績書のデータの保存や利用を効率化する無線装置を提供する。【解決手段】無線装置において、試験データ記憶手段１２が測定器により当該無線装置の特性が測定された結果に基づくデータである試験データ２３を記憶し、規格値データ記憶手段１２が試験データ２３に対する規格値のデータ（規格値ファイル２２のデータ）を記憶し、フォーマット記憶手段１２が所定の試験成績書のフォーマット２１を記憶し、制御手段１１が、記憶されたフォーマット２１に従って記憶された試験データ２３及び記憶された規格値のデータ（規格値ファイル２２のデータ）が表示されるように、当該試験データ２３及び当該規格値のデータ（規格値ファイル２２のデータ）を外部へ出力する。【選択図】  図１
2012039334.tif 000002
【特許請求の範囲】
【請求項１】
無線装置において、
測定器により当該無線装置の特性が測定された結果に基づくデータである試験データを記憶する試験データ記憶手段と、
前記試験データ記憶手段により記憶される試験データに対する規格値のデータを記憶する規格値データ記憶手段と、
所定の試験成績書のフォーマットを記憶するフォーマット記憶手段と、
前記フォーマット記憶手段により記憶されたフォーマットに従って前記試験データ及び前記規格値のデータを外部へ出力する制御手段と、
を備えたことを特徴とする無線装置。
【請求項２】
無線装置において、
測定器により当該無線装置の特性が測定された結果に基づくデータである試験データを記憶する試験データ記憶手段と、
前記試験データ記憶手段により記憶される試験データに対する規格値のデータを記憶する規格値データ記憶手段と、
所定の試験成績書のフォーマットを記憶するフォーマット記憶手段と、
前記フォーマット記憶手段により記憶されたフォーマットに従って前記試験データ記憶手段により記憶された試験データ及び前記規格値データ記憶手段により記憶された規格値のデータが表示されるように、当該試験データ及び当該規格値のデータを外部へ出力する制御手段と、
を備えたことを特徴とする無線装置。
【発明の詳細な説明】
【技術分野】
【０００１】
本発明は、無線装置に関し、特に、試験成績書のデータの保存や利用を効率化することができる無線装置に関する。
【背景技術】
【０００２】
例えば、無線技術分野や、これに付随するベースバンド信号処理技術分野や、これらに関係するディジタル信号処理技術分野などでは、装置（例えば、無線の機器）の生産過程において、種々な試験が行われている。
従来では、対象となる装置について、生産ライン工程において、測定器やパーソナルコンピュータ（ＰＣ）を用いて構築された測定ベンチにより試験成績書のデータの取得を行い、取得したデータを管理し、そして、製品出荷時に特定の出力用フォーマットにそのデータを出力して、試験成績書として紙又は電子データの形式で出荷される製品に添付されている。
【０００３】
例えば、試験成績書のデータを取得する生産ベンチにおいて測定器により取得したデータがデータベースに保管されて管理され、そして、試験成績書を出力する場合には、読み込み用のツールを利用するなどしてデータベースから試験成績書のデータを抽出して、出力用フォーマットに展開する。
【先行技術文献】
【特許文献】
【０００４】
【特許文献１】特開２００５−６１０６号公報
【発明の概要】
【発明が解決しようとする課題】
【０００５】
しかしながら、上述のような従来の方法では、試験成績書が装置とは別媒体であるため、納入先のユーザーが試験成績書を紛失してしまう恐れがあり、試験成績書の媒体を管理して保管することが必要であった。また、上述のような従来の方法では、出荷元（例えば、メーカーなど）に関しては、試験成績書を別個作成する手間が生じていた。
【０００６】
本発明は、このような従来の事情に鑑み為されたもので、試験成績書のデータの保存や利用を効率化することができる無線装置を提供することを目的とする。
【課題を解決するための手段】
【０００７】
上記目的を達成するため、一構成例として、本発明では、無線装置において、次のような構成とした。
すなわち、試験データ記憶手段が、測定器により当該無線装置の特性が測定された結果に基づくデータである試験データを記憶する。規格値データ記憶手段が、前記試験データ記憶手段により記憶される試験データに対する規格値のデータを記憶する。フォーマット記憶手段が、所定の試験成績書のフォーマットを記憶する。制御手段が、前記フォーマット記憶手段により記憶されたフォーマットに従って前記試験データ及び前記規格値のデータを外部へ出力する。
【０００８】
従って、試験成績書のデータの保存や利用を効率化することができる。
具体的には、試験データや試験成績書のフォーマットのデータが無線装置に保存されるため、例えば、別の媒体で保存する必要を無くすことができ、データの保存が効率化される。また、例えば、（データとしては）無線装置のデータのみで、試験成績書を生成することができ、データの利用が効率化される。
【０００９】
ここで、無線装置としては、無線に関する種々なものが用いられてもよく、例えば、無線により通信する装置を用いることができる。
また、測定器により測定される無線装置の特性や、測定器の数などについては、それぞれ、種々な態様が用いられてもよい。
また、試験データや、規格値のデータや、試験成績書のフォーマットとしては、それぞれ、種々なデータが用いられてもよい。
また、試験データ及び規格値のデータを無線装置から外部へ出力する態様としては、例えば、試験成績書のフォーマットに従って試験データ及び規格値のデータを用いて作成した試験成績書のデータ（一例として、ファイル）として出力する態様を用いることができる。
【００１０】
他の一構成例として、本発明では、無線装置において、次のような構成とした。
すなわち、試験データ記憶手段が、測定器により当該無線装置の特性が測定された結果に基づくデータである試験データを記憶する。規格値データ記憶手段が、前記試験データ記憶手段により記憶される試験データに対する規格値のデータを記憶する。フォーマット記憶手段が、所定の試験成績書のフォーマットを記憶する。制御手段が、前記フォーマット記憶手段により記憶されたフォーマットに従って前記試験データ記憶手段により記憶された試験データ及び前記規格値データ記憶手段により記憶された規格値のデータが表示されるように、当該試験データ及び当該規格値のデータを外部へ出力する。
【００１１】
従って、試験成績書のデータの保存や利用を効率化することができる。
具体的には、試験成績書を表示するためのデータが無線装置に保存されるため、例えば、別の媒体で保存する必要を無くすことができ、データの保存が効率化される。また、例えば、（データとしては）無線装置のデータのみで、試験成績書を表示することができ、データの利用が効率化される。
【００１２】
ここで、無線装置としては、無線に関する種々なものが用いられてもよく、例えば、無線により通信する装置を用いることができる。
また、測定器により測定される無線装置の特性や、測定器の数などについては、それぞれ、種々な態様が用いられてもよい。
また、試験データや、規格値のデータや、試験成績書のフォーマットとしては、それぞれ、種々なデータが用いられてもよい。
また、試験データ及び規格値のデータを無線装置から外部へ出力する態様としては、例えば、試験成績書のフォーマットに従って試験データ及び規格値のデータを用いて作成した試験成績書のデータ（一例として、ファイル）として出力する態様を用いることができる。
【発明の効果】
【００１３】
以上説明したように、本発明に係る無線装置によると、試験成績書のデータの保存や利用を効率化することができる。
【図面の簡単な説明】
【００１４】
【図１】本発明の一実施例に係る試験処理システムの構成例を示す図である。
【図２】試験処理システムにおいて行われる処理の手順の一例を示すフローチャートの図である。
【発明を実施するための形態】
【００１５】
本発明に係る実施例を図面を参照して説明する。
図１には、本発明の一実施例に係る試験処理システムの構成例を示してある。
本例の試験処理システムは、測定対象機１、生産ラインの測定ベンチ２、端末装置を構成するパーソナルコンピュータ（ＰＣ）３、管理データベース４、出力装置５を有している。
【００１６】
測定対象機１は、ＣＰＵ（Ｃｅｎｔｒａｌ  Ｐｒｏｃｅｓｓｉｎｇ  Ｕｎｉｔ）１１、メモリ１２、入出力インターフェース１３を備えている。メモリ１２には、試験成績書フォーマット２１、規格値ファイル２２、試験データ２３が記憶（保存）される。
測定ベンチ２は、１つ以上の測定器を備えており、本例では、４つの測定器Ａ、Ｂ、Ｃ、Ｄを備えている。なお、測定ベンチ２に、ＰＣ３の機能（例えば、測定に関する一部の機能）が含まれてもよい。
また、図１には、画面３１の表示例を示してある。
【００１７】
本例の試験処理システムにおける構成や動作の例を示す。
測定対象機１は、試験成績書を作成するための測定対象となる装置であり、本例では、無線により送受信を行う無線装置（例えば、無線機）である。
なお、他の構成例として、測定対象機１として、有線により送受信を行う有線装置が用いられる場合に、本例の構成が適用されてもよい。
【００１８】
測定ベンチ２は、測定対象機１の特性を測定するための測定器群（本例では、測定器Ａ〜Ｄ）を有しており、各測定器Ａ〜Ｄにより測定対象機１の特性を測定し、各測定器Ａ〜Ｄによる測定結果のデータ（測定データ）をＰＣ３へ通知する。なお、各測定器Ａ〜Ｄは、例えば、予め設定されたそれぞれ異なる特性を測定し、具体例として、無線通信に関するスペクトラムの波形を表す数値、無線送信電力値、消費電流値、装置利得、周波数偏差などを測定する。
ここで、測定ベンチ２は、例えば、ＲＦ  Ｉ／Ｏ（無線周波数の信号の入出力インターフェース）を介して測定対象機１と接続されており、測定対象機１から出力される無線周波数の信号が各測定器Ａ〜Ｄに入力される。
【００１９】
ＰＣ３は、測定対象機１を制御する機能や、測定ベンチ２を制御して測定データを取得する機能や、取得した測定データ（或いは、他の構成例として、それに基づくデータ）を管理データベース４に格納する機能や、取得した測定データに基づくデータ（試験データ）を測定対象機１内のメモリ１２に格納する機能や、規格値のデータを測定対象機１内のメモリ１２に格納する機能を有している。
管理データベース４は、測定対象機１の測定データを記憶（保存）して管理するデータベースである。
【００２０】
測定対象機１のＣＰＵ１１は、測定対象機１内に実装されており、各種の処理を実行する。
測定対象機１のメモリ１２は、測定対象機１内に実装されており、本例では、不揮発性のメモリである。
試験成績書フォーマット２１は、測定対象機１内に実装されるメモリ１２の内部に格納される試験成績書フォーマットのファイル（電子ファイル）である。なお、試験成績書フォーマット２１は、例えば、予め、測定対象機１のメモリ１２に格納されていてもよいし、或いは、他の構成例として、外部（例えば、ＰＣ３）から測定対象機１のメモリ１２に格納されてもよい。
【００２１】
規格値ファイル２２は、測定対象機１内に実装されるメモリ１２の内部に格納される規格値のファイル（電子ファイル）である。ここで、規格値は、外部（本例では、ＰＣ３）からファイルとして格納するため、変更が可能であり、例えば、予め用意される。
試験データ２３は、測定対象機１内に実装されるメモリ１２の内部に格納される試験データのファイル（電子ファイル）である。本例では、測定ベンチ２により取得された測定データ（測定対象機１の特性のデータ）に基づくデータ（試験データ）がＰＣ３を介して測定対象機１に格納される。
【００２２】
ここで、試験データ２３としては、例えば、測定データの一部又は全部を加工して得られるデータ、或いは、測定データそのままの一部又は全部を用いることができ、一例として、測定データが規格値と比較可能なようにＰＣ３等により所定のフォーマットに合うようにされたデータを用いることができる。
本例では、試験データとして、測定データのうちの一部の生データを用いており、規格値（例えば、複数の規格値のそれぞれ）に対応する生データを用いている。
本例では、管理データベース４に格納される測定データと、測定対象機１に格納される試験データ２３とで、内容が異なる。
【００２３】
また、本例では、ＰＣ３が、測定ベンチ２から入力された測定データに基づく試験データを測定対象機１へ書き込んでいるが、他の構成例として、ＰＣ３が、管理データベース４に格納された測定データを読み出し、読み出した測定データに基づく試験データを測定対象機１へ書き込んでもよい。
【００２４】
測定対象機１の入出力インターフェース１３は、外部とのインターフェースであり、本例では、ＰＣ３と接続されており、また、出力装置５と接続されている。
本例では、ＰＣ３から測定対象機１の入出力インターフェース１３を介して、試験成績書のデータ（試験データ２３のデータ）や、規格データ（規格値ファイル２２のデータ）を入力して、測定対象機１のメモリ１２に書き込む。
また、本例では、出力装置５へ測定対象機１の入出力インターフェース１３を介して、測定対象機１から読み出された試験成績書のファイル（電子ファイル）が出力される。
【００２５】
出力装置５は、測定対象機１から試験成績書ファイルが出力される際に、当該試験成績書ファイルの情報を出力する（本例では、画面３１に表示出力する）装置であり、例えば、パーソナルコンピュータ（ＰＣ）などから構成される。
ここで、測定対象機１から出力装置５へ試験成績書のファイルが出力される際には、例えばＣＰＵ１１により、試験成績書フォーマット２１に従って、規格値ファイル２２のデータと試験データ２３のデータを合わせて、試験成績書ファイルのデータが作成され、具体的には、試験成績書フォーマット２１により定められた規格値のブランク部分に規格値ファイル２２のデータが格納されるとともに、試験成績書フォーマット２１により定められた試験データのブランク部分に試験データ２３のデータが格納されて、規格値と試験データの値とを比較することが可能な様式の試験成績書ファイルのデータが作成される。
なお、試験成績書フォーマット２１のファイルは、例えば、出力装置５に合わせて、ファイル形式を変更することが可能である。
【００２６】
また、規格値ファイル２２のデータは、出力装置５により試験成績書ファイルの情報を出力する際に、測定値に対する規格値として表示される。
また、試験データ２３のデータは、出力装置５により試験成績書ファイルの情報を出力する際に、規格値に対する測定値として表示される。
また、出力装置５により表示される画面３１としては、例えば、Ｗｅｂブラウザ等の汎用的な閲覧ツールにより情報がＧＵＩ（Ｇｒａｐｈｉｃａｌ  Ｕｓｅｒ  Ｉｎｔｅｒｆａｃｅ）上に表示されるものを用いることができる。
【００２７】
本例では、管理データベース４に記憶された測定データは、例えば、メーカーなどにより管理や解析などを行うためのデータとして用いることができ、また、測定対象機１のメモリ１２に記憶されたデータ２２、２３（試験成績書フォーマット２１が含まれてもよい）は、ユーザーによる閲覧用のデータとして用いることができ、ユーザーは、必要なときに、測定対象機１のデータにより、試験成績書の情報を閲覧することができる。
【００２８】
図２には、本例の試験処理システムにおいて行われる処理の手順の一例を示してある。
測定処理が開始されると（ステップＳ１）、測定ベンチ２により測定対象機１に関する測定を行い（ステップＳ２）、測定データを取得する（ステップＳ３）。
ＰＣ３は、測定データを管理データベース４に書き込むとともに、測定データに基づく試験データを測定対象機１内のメモリ領域（本例では、メモリ１２）に書き込む（ステップＳ４）。
また、ＰＣ３は、規格値ファイルのデータを測定対象機１内のメモリ領域（本例では、メモリ１２）に書き込む（ステップＳ５）。
【００２９】
次に、試験成績書を読み出さない場合には（ステップＳ６）、処理が終了される（ステップＳ１３）。
一方、試験成績書を読み出す場合には（ステップＳ６）、例えば、ユーザーによる測定対象機１（或いは、出力装置５などの他の装置）の操作によって、試験成績書の出力命令が行われる（ステップＳ７）。
試験成績書の出力命令があると、測定対象機１では、ＣＰＵ１１が、試験データ２３を読み込み（ステップＳ８）、規格値ファイル２２を読み込み（ステップＳ９）、試験成績書フォーマット２１を読み込み（ステップＳ１０）、試験成績書ファイルを作成する（ステップＳ１１）。そして、ＣＰＵ１１は、試験成績書ファイルを出力し（ステップＳ１２）、出力処理が終了される（ステップＳ１３）。
【００３０】
以上のように、本例では、メモリ１２（本例では、不揮発性メモリ）を有する測定対象の装置（測定対象機１）に関して、生産時などに取得された個別の試験成績のデータを当該メモリ１２に保存する機能を備えた。
また、本例では、このような装置（測定対象機１）に関して、生産時などに取得された個別の試験成績のデータをメモリ１２から読み出し、出力装置５により試験成績書の情報として表示する機能を備えた。
また、本例では、上記のような機能の一部又は全部の内容が、上記のような装置（測定対象機１）のハードウエアなどの機能により行われる。
また、本例では、上記のような装置（測定対象機１）は、上記のような機能のうちのいずれか１つ以上（全てでもよい）を搭載する。
【００３１】
本例の試験処理システムでは、装置（測定対象機１）の測定データを例えばメーカー管理・解析用のデータとして通常通りデータベース（本例では、管理データベース４）に保存し、ユーザー閲覧用のために装置（測定対象機１）内に試験データ（例えば、測定データの一部）を試験成績書作成用に保存することで、データの切り分けを行う。
【００３２】
従って、本例では、試験成績書を作成するためのデータが装置（測定対象機１）内に格納され、この場合に、出力装置５により閲覧可能な形式（例えば、ツールやフォーマットに関する形式）で格納されることにより、ユーザーは、試験成績書のデータの内容をいつでも読み出して閲覧することが可能である。
また、本例では、測定値だけでなく、規格値をデータとして有することにより、試験成績書のデータを確認する際に、ただ試験結果を並べるだけでなく、判断基準となる規格値を表示することができ、これにより、例えば、規格資料を開かなくても、測定対象機１が特性的にどの程度マージンを有しているのかを視覚的に把握することが可能となる。
さらに、本例では、試験成績書を装置（測定対象機１）と別媒体で管理する必要がないため、紛失の恐れが無くなる。
【００３３】
なお、本例の測定対象機１（本例では、無線装置）では、メモリ１２により試験データ２３を記憶する機能により試験データ記憶手段が構成されており、メモリ１２により規格値ファイル２２を記憶する機能により規格値データ記憶手段が構成されており、メモリ１２により試験成績書フォーマット２１を記憶する機能によりフォーマット記憶手段が構成されており、ＣＰＵ１１が試験データ２３、規格値ファイル２２、試験成績書フォーマット２１に基づいて試験成績書ファイル（試験データ２３の内容及び規格値ファイル２２の内容を含む）を作成して外部（本例では、出力装置５）へ出力する機能により制御手段が構成されている。
【００３４】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００３５】
１・・測定対象機、  ２・・測定ベンチ、  ３・・パーソナルコンピュータ（ＰＣ）、  ４・・管理データベース、  ５・・出力装置、  １１・・ＣＰＵ、  １２・・メモリ、  １３・・入出力インターフェース、  ２１・・試験成績書フォーマット、  ２２・・規格値ファイル、  ２３・・試験データ、  ３１・・画面、
【図１】
2012039334.tif 000003
【図２】
2012039334.tif 000004